(57)【特許請求の範囲】
【請求項１】
ネットワーク接続を確立および/または維持するために、非アクセス層メッセージをモバイル無線通信ネットワークデバイスにシグナリングするよう動作可能なモバイル無線通信デバイスであって、前記非アクセス層メッセージの拡張とは異なる追加メッセージ内で見つかった拡張NASメッセージングの可用性を示すフラグを前記メッセージ内に含み、モバイル無線通信ネットワークデバイスが前記フラグに応じて送信する追加メッセージ送信要求を受信した場合、前記追加メッセージを当該モバイル無線通信ネットワークデバイスに送信するように構成された、モバイル無線通信デバイス。
【請求項２】
前記非アクセス層メッセージが位置更新手順の一部を備える、請求項１に記載のモバイル無線通信デバイス。
【請求項３】
前記非アクセス層メッセージがオクテット構造を備える、請求項１または２に記載のモバイル無線通信デバイス。
【請求項４】
前記オクテット構造が、長さが限られた構造である、請求項３に記載のモバイル無線通信デバイス。
【請求項５】
前記フラグが前記オクテットのうちの１つにビットを備える、請求項３または４に記載のモバイル無線通信デバイス。
【請求項６】
前記非アクセス層メッセージが位置更新要求メッセージを備える、請求項１から５のいずれか一項に記載のモバイル無線通信デバイス。
【請求項７】
GSM（登録商標）および/またはUMTSネットワークにおけるシグナリングのために構成された、請求項１から６のいずれか一項に記載のモバイル無線通信デバイス。
【請求項８】
前記フラグがGSM（登録商標）ネットワークにおけるシグナリングのためにのみ使用される、請求項１から６のいずれか一項に記載のモバイル無線通信デバイス。
【請求項９】
前記モバイル無線通信ネットワークデバイスから、前記追加メッセージについてのプロンプトメッセージを受信するように構成された、請求項１から８のいずれか一項に記載のモバイル無線通信デバイス。
【請求項１０】
前記プロンプトが要求メッセージを備える、請求項９に記載のモバイル無線通信デバイス。
【請求項１１】
前記フラグが、拡張メッセージング交換が必要であることを示す、請求項１から１０のいずれか一項に記載のモバイル無線通信デバイス。
【請求項１２】
ネットワークとの接続を確立および/または維持するために、モバイル無線通信デバイスから非アクセス層メッセージを受信するように動作可能なモバイル無線通信ネットワークデバイスであって、前記非アクセス層メッセージの拡張とは異なる追加メッセージ内で見つかった拡張NASメッセージングの可用性を示すフラグを前記メッセージ内で識別して、前記追加メッセージの送信を要求する追加メッセージ送信要求をモバイル無線通信デバイスに送信し、前記拡張メッセージングを受信するために前記追加メッセージの受信を待つように構成されたモバイル無線通信ネットワークデバイス。
【請求項１３】
前記非アクセス層メッセージが位置更新手順の一部を備える、請求項１２に記載のモバイル無線通信ネットワークデバイス。
【請求項１４】
前記非アクセス層メッセージがオクテット構造を備える、請求項１２または１３に記載のモバイル無線通信ネットワークデバイス。
【請求項１５】
前記オクテット構造が、長さが限られた構造である、請求項１４に記載のモバイル無線通信ネットワークデバイス。
【請求項１６】
前記フラグが前記オクテットのうちの1つに配置されたビットを備える、請求項１４または１５に記載のモバイル無線通信ネットワークデバイス。
【請求項１７】
前記非アクセス層メッセージが位置更新要求メッセージを備える、請求項１２から１６のいずれか一項に記載のモバイル無線通信ネットワークデバイス。
【請求項１８】
前記追加メッセージについてのプロンプトを送信するように構成された、請求項１２から１７のいずれか一項に記載のモバイル無線通信ネットワークデバイス。
【請求項１９】
前記プロンプトが要求メッセージを備える、請求項１８に記載のモバイル無線通信ネットワークデバイス。
【請求項２０】
モバイル交換センタを備える、請求項１２から１９のいずれか一項に記載のモバイル無線通信ネットワークデバイス。
【請求項２１】
前記追加メッセージの受信後まで識別および/または認証段階を遅らせるように構成された、請求項１２から２０のいずれか一項に記載のモバイル無線通信ネットワークデバイス。
【請求項２２】
前記フラグが、拡張メッセージング交換が必要であることを示す、請求項１２から２１のいずれか一項に記載のモバイル無線通信ネットワークデバイス。
【請求項２３】
ネットワーク接続を確立および/または維持するために、モバイル無線通信デバイスから、モバイル無線通信ネットワークデバイスに、非アクセス層メッセージをシグナリングする方法であって、前記非アクセス層メッセージとは異なる追加メッセージ内で見つかった拡張NASメッセージングの可用性を示すフラグを前記メッセージ内で提供して、前記拡張メッセージングのシグナリングができるようにするステップと、モバイル無線通信ネットワークデバイスが前記フラグに応じて送信する追加メッセージ送信要求を受信した場合、前記追加メッセージを当該モバイル無線通信ネットワークデバイスに送信するステップとを含む、方法。
【請求項２４】
前記非アクセス層メッセージが位置更新手順の一部を備える、請求項２３に記載の方法。
【請求項２５】
前記非アクセス層メッセージがオクテット構造を備える、請求項２３または２４に記載の方法。
【請求項２６】
前記オクテット構造が限られた長さを有する、請求項２３から２５のいずれか一項に記載の方法。
【請求項２７】
前記フラグが前記オクテットのうちの1つに配置されたビットを備える、請求項２５または２６に記載の方法。
【請求項２８】
位置更新要求メッセージを備える、請求項２３から２７のいずれか一項に記載の方法。
【請求項２９】
ネットワークとの接続を確立および/または維持するために、モバイル無線通信ネットワークデバイスで、モバイル無線通信デバイスから非アクセス層メッセージを受信する方法であって、前記非アクセス層メッセージとは異なる追加メッセージ内で見つかった拡張NASメッセージングの可用性を示すフラグを前記メッセージ内で識別するステップと、前記追加メッセージの送信を要求する追加メッセージ送信要求をモバイル無線通信デバイスに送信するステップと、前記拡張メッセージングを受信するために前記追加メッセージの受信をさらに待つステップとを含む、方法。
【請求項３０】
前記非アクセス層メッセージが位置更新手順の一部を備える、請求項２９に記載の方法。
【請求項３１】
前記非アクセス層メッセージがオクテット構造を備える、請求項２９または３０に記載の方法。
【請求項３２】
前記オクテット構造が限られた長さを有する、請求項３１に記載の方法。
【請求項３３】
前記フラグが前記オクテットのうちの1つにビットを備える、請求項３１または３２に記載の方法。
【請求項３４】
前記非アクセス層メッセージが位置更新要求メッセージを備える、請求項２９から３３のいずれか一項に記載の方法。
【請求項３５】
前記モバイル無線通信ネットワークデバイスから、前記追加メッセージについてのプロンプトを送信するステップを含む、請求項２９から３４のいずれか一項に記載の方法。
【請求項３６】
前記追加メッセージを送信することによって前記モバイル無線通信デバイスで前記プロンプトに応答するステップを含む、請求項３５に記載の方法。
【請求項３７】
前記モバイル無線通信ネットワークデバイスがモバイル交換センタを備える、請求項２９から３６のいずれか一項に記載の方法。
【発明の詳細な説明】
【技術分野】
【０００１】
本発明はモバイル無線通信シグナリングに関し、より具体的には、モバイル無線通信デバイス(UE)、およびネットワーク接続を確立/維持するためにシグナリングを送受信するように構成されたモバイル無線通信ネットワークデバイス、ならびにこのようなデバイスによって使用される方法に関する。
【０００２】
参照による組み込み
2011年1月14日に出願された、英国特許出願第1100612.9号の優先権を主張し、その内容を参照により本明細書に組み込む。
【背景技術】
【０００３】
モバイル無線通信ネットワーク技術が発展し続けるにつれて、多数のネットワークユーザは、第3世代(3G)UMTS仕様に加えて、またはその代わりに、第2世代(2G)仕様に従って動作する装置を使用するようになった。GSM（登録商標）仕様は、長年にわたって特に回線交換(CS)ドメインに安定した機能を提供してきた。
【０００４】
しかし、上述の継続的発展およびシステムの進化により、また、たとえば進化型パケットシステム(EPS)についての第3世代パートナーシッププロトコル(3GPP)によって、CSドメイン内でさえも何らかの修正が必要になったことが分かってきた。具体的には、たとえばいわゆる位置更新要求メッセージなどの、位置更新手順の一部として発生するものなどの最初の非アクセス層(NAS)メッセージに、さらなる情報を導入することが必要になった。
【０００５】
3GPP TS 24.008に記載されるように、リリース9は、回線交換フォールバックモバイル着信呼(CSMT)フラグを位置更新要求メッセージに追加することを必要とし、リリース10では回線交換フォールバックモバイル発信呼(CSMO)フラグも追加された。
【０００６】
したがって、たとえば、位置更新要求メッセージは増加し続ける量の情報にとって適切なホストとして識別されており、このような要求は今後も継続する可能性が高いことが分かった。
【０００７】
しかし、ネットワークとの専用接続を確立する際に送信された位置更新要求メッセージなどの、UEによって送信された最初のNASメッセージが20オクテットのメッセージサイズ制限を示す2G/GSM（登録商標）動作を考慮すると、ある問題が生じる。
【０００８】
この制限は、スタンドアロン専用制御チャネルSDCCH上で送信される場合、非番号制情報フレーム(UI-Frame)の情報フィールド内のオクテットの最大数から生じる。
【０００９】
これは、3GPP TS 44.006からの以下の抜粋において明らかに証明されている。“8.8.3  情報フィールドにとって部分的または全体的に利用可能なI、UI、SABM、およびUAフレームにおけるオクテットの最大数(N201)
【００１０】
情報フィールドにとって部分的または全体的に利用可能なオクテットの最大数(N201)は:
フォーマットAおよびBのフレームでは、
SACCHでは、N201=18;
FACCHおよびSDCCHでは、N201=20、
フォーマットBbisのフレームでは、
BCCH、AGCH、NCH、およびPCHでは、N201=23;
フォーマットBterのフレームでは、
SACCHでは、N201=21;
FACCHおよびSDCCHでは、N201=23;
フォーマットB4のフレームでは、
SACCHでは、N201=19"
【００１１】
上述のように、位置更新要求メッセージは長さの制限を示すメッセージであり、現在その制限は、上述の技術仕様に示されるように20オクテットである。3GPP TS 44.005に記載されるように、「データリンク層は、確認されない動作(unacknowledged operation)にはセグメントサービスを提供しない」ので、位置更新要求メッセージはこの最大長に準拠し続けなければならない。
【００１２】
さらなる詳細では、また3GPP TS 24.008の従属節9.2.15を参照すると、リリース8では、位置更新要求メッセージを拡張するために、およびIMSIモバイルエンティティを使用する際に、利用できるオクテットは2つだけである。しかし、リリース9および10への上記の参照から分かるように、これら2つの利用可能なオクテットはすでに使用されている。リリース9では、位置更新要求を拡張するために依然として利用可能であるオクテットは1つだけであり、リリース10では、予備オクテットの両方が使用され、位置更新要求メッセージのコンテンツをさらに拡張するために依然として利用可能であるオクテットはもうない。
【００１３】
位置更新要求メッセージ内の任意の残りのビットの利用を最適化するための提案をしてきたが、やはりメッセージの実際のサイズは依然として制限要因である。
【先行技術文献】
【非特許文献】
【００１４】
【非特許文献１】3GPP TS 24.008
【非特許文献２】3GPP TS 44.006
【非特許文献３】3GPP TS 44.005
【非特許文献４】3GPP TS 24.007
【発明の概要】
【発明が解決しようとする課題】
【００１５】
本発明は、NASから知られているこのような構造よりも優れた利点を提供するシグナリング構造を提供し、具体的には知られているデバイスよりも優れた利点を示す方法でこのようなシグナリングとともに動作するように構成されたモバイル無線通信デバイス、およびモバイル無線通信ネットワークデバイス、ならびに関連する動作方法を提供しようとするものである。
【課題を解決するための手段】
【００１６】
本発明の第1の態様によれば、ネットワーク接続を確立および/または維持するために、非アクセス層メッセージをモバイル無線通信ネットワークデバイスにシグナリングするよう動作可能なモバイル無線通信デバイスであって、非アクセス層メッセージの拡張とは異なるが、それを形成する追加メッセージ内で見つかった拡張NASメッセージングの可用性を示すフラグをメッセージ内に含み、モバイル無線通信ネットワークデバイスがフラグに応じて送信する追加メッセージ送信要求を受信した場合、追加メッセージを当該モバイル無線通信ネットワークデバイスに送信するように構成されたモバイル無線通信デバイスが提供される。
【００１７】
有利なことに、フラグの使用を通じて、新しい/別のメッセージにおいて、非アクセス層メッセージに追加されるべき任意の将来情報を実際に提供できる。
【００１８】
このメッセージは、通常の標準的レイヤ3メッセージ構成、および3GPP TS 24.007に定義されるようなコンテンツをミラーリングできる。
【００１９】
非アクセス層メッセージの長さは特にGSM（登録商標）接続性について一般的に制限されているので、本発明は、実際に最初のメッセージの長さを長くせずに、最初の非アクセス層メッセージの機能を有利に拡張することができる。
【００２０】
本発明の全ての態様の非アクセス層メッセージは位置更新手順の一部を備えることができることが望ましい。
【００２１】
ある形式では、非アクセス層メッセージは、オクテット構造を備えることができ、その構造は長さが限られた構造でよい。
【００２２】
本発明の全ての態様のある特定の実施形態では、フラグはオクテットのうちの1つにビットを備えることができ、また非アクセス層メッセージは位置更新要求メッセージを備えることができる。
【００２３】
理解されるように、本発明は、GSM（登録商標）ネットワークにおけるシグナリングのために構成されたデバイスにおける特定の使用を発見する。次いで、フラグがGSM内でのみ使用されるように、すなわち、UMTSでは、フラグビットは常に0に設定され、デバイスは最初のNASメッセージを単に通常の方法で復号するように構成されうる。
【００２４】
当然、デバイスは、GSMまたはUMTSネットワークにおけるシグナリングのためにも構成することができ、フラグは、最初のNASメッセージとは異なる追加メッセージ内で見つかった拡張NASメッセージングの可用性を示すために役立つ。
【００２５】
本発明の他の態様によれば、ネットワークとの接続を確立および/または維持するために、モバイル無線通信デバイスから非アクセス層メッセージを受信するように動作可能なモバイル無線通信ネットワークデバイスであって、非アクセス層メッセージの拡張とは異なるが、それを形成する追加メッセージ内で見つかった拡張NASメッセージングの可用性を示すフラグをメッセージ内で識別して、追加メッセージの送信を要求する追加メッセージ送信要求をモバイル無線通信デバイスに送信し、拡張メッセージングを受信するために追加メッセージの受信を待つように構成されたモバイル無線通信ネットワークデバイスが提供される。
【００２６】
一例では、ネットワークデバイスは、追加メッセージについてのプロンプトを送信するように構成でき、そのプロンプトは要求メッセージの形式をとることができる。
【００２７】
MSCを備えることができるネットワークデバイスは、追加メッセージの受信後まで識別および/または認証段階を遅らせるように構成されうる。
【００２８】
本発明の様々な実施形態の中で、フラグは拡張メッセージング交換が必要であることを示すために役立つ。
【００３１】
本発明のさらに他の態様によれば、ネットワーク接続を確立および/または維持するために、モバイル無線通信デバイスから、モバイル無線通信ネットワークデバイスに、非アクセス層メッセージをシグナリングする方法であって、非アクセス層メッセージとは異なる追加メッセージ内で見つかった拡張NASメッセージングの可用性を示すフラグをメッセージ内で提供して、拡張メッセージングのシグナリングができるようにするステップと、モバイル無線通信ネットワークデバイスが前記フラグに応じて送信する追加メッセージ送信要求を受信した場合、前記追加メッセージを当該モバイル無線通信ネットワークデバイスに送信するステップとを含む方法が提供される。
【００３２】
当然、本方法は、位置更新手順の一部を備える非アクセス層メッセージを含むことができる。
【００３３】
本発明のさらなる態様によれば、ネットワークとの接続を確立および/または維持するために、モバイル無線通信ネットワークデバイスで、モバイル無線通信デバイスから非アクセス層メッセージを受信する方法であって、非アクセス層メッセージとは異なる追加メッセージ内で見つかった拡張NASメッセージングの可用性を示すフラグをメッセージ内で識別するステップと、追加メッセージの送信を要求する追加メッセージ送信要求をモバイル無線通信デバイスに送信するステップと、拡張メッセージングを受信するために追加メッセージの受信をさらに待つステップとを含む方法が提供される。
【００３４】
本方法は、ネットワークデバイスから追加メッセージについてのプロンプトを送信するステップをさらに含み、また本方法は、モバイル無線通信デバイスが、追加メッセージを送信することによってネットワーク通信デバイスでプロンプトに応答するステップを含むことができる。
【００３５】
次いで、追加ではあるが別のメッセージは、いわゆる拡張位置更新メッセージ、またはプロンプティングが含まれる場合は、拡張位置更新応答を備えることができる。
【００３６】
さらに、本発明のこれらのさらなる態様は、以前の態様に関連して上述したさらなる特徴も含むことができる。
【００３７】
したがって、理解されるように、本発明によって、一旦20オクテット制限に到達すると、追加拡張位置更新メッセージを使用することによって、位置更新要求メッセージを効果的に拡張でき、有利なことに、位置更新要求メッセージの一般的構成は変更する必要がなく、その長さは依然として20オクテット以下である。したがって、位置更新要求メッセージへの任意の必要なプロトコル強化は、上述のように拡張位置更新メッセージによって、または代替として、やはり上述の拡張位置更新応答メッセージによって容易に受け入れられ得る。
【００３８】
このような追加メッセージは、シグナリング手順に必要な全体的な時間の増加をもたらすことが理解されるが、このような遅延および追加シグナリングは問題ではないと分かることが予測される。これは、マシンタイプの通信情報交換に拡張位置更新メッセージが使用される場合、特に有効である。また、今後の何らかの段階で、さらなるデバイスプロパティが定義される場合、情報要素についてタイプ値フォーマットではなくタイプ長値フォーマットを使用することがより適切であると考えられる。この後者のフォーマットの方がはるかに適切であると識別されるが、不都合なことに、上述のサイズ制限のために位置更新要求メッセージなどのメッセージ内に収容することができない。したがって、本明細書に記載の拡張メッセージを使用することによって、今後必要になる可能性があるさらなるデバイスプロパティを好都合に定義できるようになる。
【００３９】
以下で、添付の図面を参照して、例示のみの目的で本発明の実施形態をさらに説明する。
【図面の簡単な説明】
【００４０】
【図１】現在の位置更新要求メッセージのコンテンツの図である。
【図２】位置更新手順の間に発生するNASシグナリングの図である。
【図３】本発明の一実施形態による、位置更新要求メッセージの図である。
【図４】本発明の一実施形態によって生じるNASシグナリングの図である。
【図５】本発明の他の実施形態によって生じるNASシグナリングの図である。
【図６】UMTS環境において本発明を使用するデバイスによって使用されうる位置更新要求メッセージの可能な構造を示す図である。
【図７】本発明のある実施形態による、メッセージング構造を示す図である。
【図８】本発明のある実施形態による、モバイル無線通信デバイスの概略図である。
【図９】本発明のある実施形態による、モバイル無線通信ネットワークデバイスの概略図である。
【発明を実施するための形態】
【００４１】
図1を参照すると、20オクテットの最大長Aを有する位置更新要求メッセージの現在の構成10が示されており、また後述のように追加更新パラメータ12およびデバイスプロパティ14オクテットを含むものとして示される19番目と20番目のオクテットのそれぞれの8ビットの割当ても拡大図に示されている。
【００４２】
19番目のオクテット12の完全なビット詳細から理解されるように、このオクテットは、第1ビット位置および第2のビット位置のCSMTフラグおよびCSMOフラグによって使用されており、20番目のオクテット14への、あるいは19番目のオクテットからビット3または4への位置更新要求の任意のさらなる拡張を制限するために役立つ。
【００４３】
しかし、上述のように、この単一の利用可能なオクテットは、位置更新要求メッセージの拡張を可能にして、最小限の実用的な目的を果たすためにのみ役立つ。3GPP TS 24.008のリリース10によれば、この最後の利用可能なオクテットさえも、図示されるように追加「デバイスプロパティ」情報要素によって使用されるので、実際には位置更新要求メッセージを拡張するために利用可能なオクテットはない。
【００４４】
図2を参照すると、UE端末16などのモバイル無線通信デバイスと、モバイル交換センタ(MSC)18などのモバイル無線通信ネットワークデバイスとの間に、たとえば3GPP TS 24.008に従って発生する位置更新シーケンスの説明が提供される。
【００４５】
図示されるように、手順はUE16からMSC18に送信された位置更新要求20で始まり、識別および認証段階の後、位置更新手順の完了を確認するUE16からのメッセージ24の前に、MSC18からUE16に返される位置更新受付メッセージ22に進む。
【００４６】
以下から理解されるように、本発明は、図1および2を参照することによって最初に示されるように、位置更新シーケンスの間に発生するシグナリングを強化する。したがって、次に図3を参照すると、本発明の実施形態によって発生するコンテンツによって定義された構造を有する、位置更新要求メッセージ26の例示が提供される。
【００４７】
さらに、GSMネットワークにおいて使用すると仮定すると、位置更新要求メッセージ26は20オクテットの最大長を有し、追加更新パラメータを使用する19番目のオクテット28も、上述のようにリリース9によって、必要に応じてCSMTフラグおよびCSMOフラグを使用できる。
【００４８】
しかし、図3に示された19番目のオクテット28と20番目のオクテット30の両方について、本発明は、依然としてそれらのオクテット内に配置された予備ビットがあることを知っており、本発明は、位置更新要求メッセージを効果的に拡張するために、このような予備ビットを有利に使用する。
【００４９】
図3内のオクテット28のさらなる詳細を参照すると、番号付けされたビットによって8ビット長が示されており、CSMTフラグおよびCSMOフラグが第1ビット位置および第2ビット位置に配置されていることが分かる。ここでは、上述のリリース10によると、第3および第4ビット位置が依然として空いており、20番目のオクテット30のビット位置2、3、および4についても同様である。
【００５０】
本発明のこの図示された実施形態によって、位置更新要求メッセージ26の19番目のオクテット28の第3ビット位置に新しい機能ビットLAU EXTが導入されるが、当然、19番目および20番目のオクテットの上述の他の任意の予備ビットも同様に使用されうる。
【００５１】
オクテット28の第3ビット位置に示される新しいLAU EXTビットは、拡張位置更新メッセージング交換がネットワークで必要とされることを示すフラグとして役立つ。
【００５２】
本発明のある特定の実施形態においてUEとMSCとの間で発生して、新しいLAU EXTビットを考慮する可能なシグナリングが、図4および5を参照してさらに示されている。
【００５３】
図4は、本発明の第1の実施形態によってUE32とMSC34との間に発生するシグナリングを示している。
【００５４】
シグナリングは、やはり位置更新要求信号36で開始し、図3に示されるLAU EXTビットは「1」に設定される。
【００５５】
このように、UE32は、追加位置更新要求情報をMSC34に送信しなければならないことを示し、MSC34は、別の拡張位置更新メッセージ(図7に示される)によって伝達される追加情報を待つ間、識別および認証段階を遅らせるように構成されうる。
【００５６】
次いで、拡張位置更新メッセージ38がUE32によって送信され、そのメッセージはMSC34に送信された関連する新しいパラメータを含むことができる。当然、何らかの理由でMSC34が本発明を実装できない場合、拡張位置更新メッセージを単に無視してもよく、UE32にステータスメッセージを返信するようにMSC34を構成してもよい。
【００５７】
その後、図示されるように、識別および認証段階の後でUE32とMSC34との間の位置更新受付40および位置更新完了42シグナリング交換が位置更新手順を完了する。
【００５８】
この第1の実施形態によれば、MSC34は、別の追加拡張位置更新メッセージでUE32が送信する追加情報を待つように単に構成されることが理解されるべきである。
【００５９】
この特定の実施形態は、最小限の追加シグナリングを使用する限り好ましいことが分かるが、ここでは図5に関連して他の実施形態を説明する。この実施形態に関連するシグナリングはUE44およびMSC46に関連して示され、やはりUE44からMSC46に送信された位置更新要求メッセージ48で開始し、LAU EXTビットはやはり「1」に設定されている。さらに、LAU EXTビットによって表されるフラグは、MSC46に送信されるべき追加情報があることを示す。
【００６０】
しかし、このさらなる実施形態では、追加シグナリング交換Cが発生し、MSC46が特定の拡張位置更新要求メッセージ50を、図4の実施形態の場合のように到着を単に待つのではなく、この追加情報を特に要求するUE44に送信する。
【００６１】
要求50に応答して、UE44は、拡張位置更新応答52を備え、MSC46に送信されるべき必要な新しいパラメータを含む、新しい/追加の拡張位置更新メッセージで返答する。
【００６２】
次いで、識別および認証段階の後で、やはり以前のように位置更新受付54および位置更新完了56シグナリング交換が手順を終了させる。
【００６３】
したがって理解されるように、本発明のこの第2の実施形態では、新しいLAU EXTビットで位置更新要求メッセージを受信すると、MSC46が、UE44が新しい/追加の拡張位置更新メッセージを伝えるように特に促す特定の拡張位置更新要求メッセージをUE44に送信するように構成される。
【００６４】
本発明は特にGSM環境を対象としているが、LAU EXTによって表されるフラグが、図6に示される追加要素Dなどの追加情報要素の存在を示すために役立つ限り、UMTSにおいて類似の位置更新要求メッセージコンテンツが使用されうる。
【００６５】
したがって、図6をさらに詳細に参照すると、LAU EXTビットがやはりフラグとして使用される位置更新要求メッセージ58が示されている。この例では、「追加情報1および追加情報2」として示される追加情報要素Dの存在を示すために、フラグは「0」に設定される。
【００６６】
しかし、GSMにおいて動作すると、および位置更新要求メッセージの長さの制限に応じると、上述のようにLAU EXTビットは「1」に設定され、拡張位置更新メッセージ(上述の第1の実施形態による)、または拡張位置更新応答メッセージ(上述の第2の実施形態による)60の存在を示すために役立つ。
【００６７】
この別の新しい拡張位置更新メッセージ(上述の第1の実施形態による)または拡張位置更新応答メッセージ(上述の第2の実施形態による)60は、図3の位置更新要求メッセージ26の効果的な拡張として役立つ。
【００６８】
図8を参照すると、モバイル電話ハンドセットの形式で、アンテナ64、ならびにハンドセット内で記憶装置手段68、処理手段70、およびユーザインターフェース手段72に接続された受信/送信機能66を備える標準無線インターフェースを有する、モバイル無線通信デバイスUE62の概略図が提供される。
【００６９】
図示された実施形態内で、処理手段70は、図7に示される60などの拡張位置更新メッセージの存在にフラグを立てる、またはその他の方法を行うためにビットを適切な値に設定するのに役立つLAU EXTビット設定機能74を含み、当然、後にUEによって送信されるように構成される。
【００７０】
本発明は、たとえば、無線ネットワークコントローラへのインターフェース78、および基地局コントローラ(BSC)を介するGSMネットワークへのインターフェース80とともに構成されたMSC76などのネットワークデバイスも提供し、MSC76はメモリ82および処理機能84を含み、処理機能84は、上述のLAU EXTフラグなどのフラグを含む位置更新要求メッセージの受信に応答するための手段86を含むことができる。次いで、MSC76は、LAU EXTフラグの識別に応じて、インターフェース78および関連する無線ネットワークコントローラ、ならびに基地局によって、またはインターフェース80および関連する基地局コントローラによって、特に図8のUEなどのUEに拡張位置更新応答メッセージの送信を要請する、拡張位置更新要求メッセージを返すことができる。
【００７１】
上記の記述より、本発明は、2G/3GおよびCSサービスをサポートする任意の適切な商品とともに実施されうることが理解されるべきである。当然、本発明が位置更新手順の間にUEからMSCに追加情報を送信できるようにする限り、MSCレベルで必要な重要情報に関連して使用するために、既存の位置更新要求メッセージ内の残りの予備ビットを保持できることが容易に分かる。次いで、第2の実施形態による、新しい拡張位置更新メッセージ、または拡張位置更新応答メッセージは、重要度の低い、または重要ではない情報、すなわち、位置更新手順の間の後の段階、たとえば識別または認証段階の後に、MSCによって受信されうる情報のために使用される。
【００７２】
当然、本発明は、上記の詳細に限定されず、必要に応じて、任意のNASシグナリングメッセージ、および特に位置更新手順の一部として使用される任意のシグナリングメッセージに関連して使用されうることが理解されるべきである。
【００７３】
したがって、当該のメッセージは、上述の拡張位置更新および拡張位置更新応答識別とは全く異なる識別を使用でき、必要に応じて他の既存のメッセージにマッピングすることもできる。
【００７４】
たとえば、3GPP TS 24.008に定義されたような識別要求メッセージが、UEの追加情報を要求して、その結果として上述の新しい拡張位置更新要求メッセージと同じ目的を果たすために、MSCによって使用されうる。また、やはり3GPP TS 24.008に定義されたような既存の識別応答メッセージは、上述のいわゆる拡張位置更新応答メッセージと同じ目的を果たすために、UEからMSCに必要な追加情報を伝達するために拡張されうる。
【００７５】
さらなる代替として、識別および認証段階は、拡張された位置更新交換の後に発生する場合があり、したがって、他の構成によれば、MSC実装形態は、識別および/または認証段階の後にのみ(拡張位置更新要求メッセージを介して)追加位置更新情報を要求するために役立つことができる。
【００７６】
上記で本発明の好ましい実施形態を記述および説明してきたが、これらは本発明の例であり、限定的なものと見なされるべきではないことが理解されるべきである。本発明の範囲から逸脱することなしに、追加、省略、置換、および他の修正が行われてよい。したがって、本発明は上記の記述によって限定されるものと見なされるべきではなく、添付の特許請求の範囲によってのみ限定される。
【符号の説明】
【００７７】
10  位置更新要求メッセージの現在の構成
12  追加更新パラメータ
12  19番目のオクテット
14  デバイスプロパティ
14  20番目のオクテット
16  UE端末
18  モバイル交換センタ(MSC)
20  位置更新要求
22  位置更新受付メッセージ
24  UE16からのメッセージ
26  位置更新要求メッセージ
28  19番目のオクテット
30  20番目のオクテット
32  UE
34  MSC
36  位置更新要求信号
38  拡張位置更新メッセージ
40  位置更新受付
42  位置更新完了
44  UE
46  MSC
48  位置更新要求メッセージ
50  拡張位置更新要求メッセージ
52  拡張位置更新応答
54  位置更新受付
56  位置更新完了
58  位置更新要求メッセージ
60  拡張位置更新応答メッセージ
62  モバイル無線通信デバイスUE
64  アンテナ
66  受信/送信機能
68  記憶装置手段
70  処理手段
72  ユーザインターフェース手段
74  LAU EXTビット設定機能
76  MSC
78  インターフェース
80  インターフェース
82  メモリ
84  処理機能
86  位置更新要求メッセージの受信に応答するための手段
【図１】
0005867506.tif 000002
【図２】
0005867506.tif 000003
【図３】
0005867506.tif 000004
【図４】
0005867506.tif 000005
【図５】
0005867506.tif 000006
【図６】
0005867506.tif 000007
【図７】
0005867506.tif 000008
【図８】
0005867506.tif 000009
【図９】
0005867506.tif 000010